(57)【要約】【課題】  負荷時タップ切換変圧器のどの箇所に異常が発生しているのかが自動的に判別でき、異常が発生した場合に負荷時タップ切換変圧器の早期復旧を可能とすることである。【解決手段】  負荷時タップ切換変圧器のタップ切換器を駆動する電動機の駆動トルク、タップ切換器のタップ切換時間、電動機の入力電流、電動機の入力電圧、電動機に電磁接触器を介して電力を供給する駆動電源の電源電圧をそれぞれ検出する各検出器を設け、マイクロプロセッサーを用いて構成された制御装置は、各検出器で検出された状態量の組み合わせによって、タップ切換器、電動機、電磁接触器、駆動電源の異常を判定するとともに、外部からの指令によりタップ切換器のタップ切換を制御する。【選択図】  図１
2006128237.tif 000002
【特許請求の範囲】
【請求項１】
タップ切換器を駆動する電動機の駆動トルク、前記タップ切換器のタップ切換時間、前記電動機の入力電流、前記電動機の入力電圧、前記電動機に電磁接触器を介して電力を供給する駆動電源の電源電圧を検出する各検出器と、
各検出器で検出された状態量の組み合わせによって、前記タップ切換器、前記電動機、前記電磁接触器、前記駆動電源の異常を判定するとともに、外部からの指令により前記タップ切換器のタップ切換を制御するマイクロプロセッサーを用いた制御装置と、
を備えたことを特徴とする負荷時タップ切換装置の異常判定装置。
【請求項２】
前記制御装置は、前記タップ切換器のタップ切換時間、前記電動機の入力電流及び前記電動機の駆動トルクに基づいてタップ切換器の異常を判定するタップ切換器異常判定手段と、
前記タップ切換器のタップ切換時間、前記電動機の入力電流及び／または前記電動機の駆動トルクに基づいて電動機の異常を判定する電動機異常判定手段と、
前記電動機の入力電圧及び前記駆動電源の電源電圧に基づいて前記電磁接触器の異常を判定する電磁接触器異常判定手段と、
前記電動機の入力電圧及び前記駆動電源の電源電圧に基づいて前記駆動電源の異常を判定する電源異常判定手段と、
を備えたことを特徴とする請求項１記載の負荷時タップ切換装置の異常判定装置。
【請求項３】
前記タップ切換器異常判定手段は、前記タップ切換器のタップ切換時間が所定値より長く、前記電動機の入力電流が所定値より大きく、かつ前記電動機の駆動トルクが所定値より大きいときに前記タップ切換器の異常であると判定することを特徴とする請求項２記載の負荷時タップ切換装置の異常判定装置。
【請求項４】
前記電動機異常判定手段は、前記タップ切換器のタップ切換時間が所定値より長く、前記電動機の入力電流が所定値より大きく、かつ前記電動機の駆動トルクが所定値以下であるとき、または前記タップ切換器のタップ切換時間が所定値以下で、かつ前記電動機の入力電流が所定値より大きいときは、前記電動機の異常であると判定することを特徴とする請求項２記載の負荷時タップ切換装置の異常判定装置。
【請求項５】
前記電磁接触器異常判定手段は、前記電動機の入力電圧が所定値以下で、前記駆動電源の電源電圧が所定値以下でないときは、前記電磁接触器の異常であると判定することを特徴とする請求項２記載の負荷時タップ切換装置の異常判定装置。
【請求項６】
前記電源異常判定手段は、前記電動機の入力電圧が所定値以下で、前記駆動電源の電源電圧が所定値以下のときは、前記駆動電源の異常であると判定することを特徴とする請求項２記載の負荷時タップ切換装置の異常判定装置。
【請求項７】
タップ切換器を駆動する電動機の駆動トルク、前記タップ切換器のタップ切換時間、前記電動機の入力電流、前記電動機の入力電圧、前記電動機に電磁接触器を介して電力を供給する駆動電源の電源電圧をそれぞれ検出し、これら検出された状態量の組み合わせによって、前記タップ切換器、前記電動機、前記電磁接触器、前記駆動電源の異常をそれぞれ判定することを特徴とする負荷時タップ切換装置の異常判定方法。
【発明の詳細な説明】
【技術分野】
【０００１】
本発明は、電圧調整機能を有する変圧器の負荷時タップ切換装置の異常判定装置及び方法に関する。
【背景技術】
【０００２】
一般に、変圧器の電圧調整は、変圧器の１次側のタップ巻線をタップ切換器により切り換え、変圧器の２次側電圧を調整することにより行われている。配電系統では、変圧器の２次側電圧及び２次側電流を監視し、２次側電流が大きくなると２次側電圧を昇圧するようにタップ切換を行い、２次側電流が小さくなると２次側電圧を降圧するようにタップ切換が行われる。
【０００３】
負荷時タップ切換装置のタップ切換は、変圧器２次側の電圧及び電流の監視装置からのタップ切換の操作信号により、変圧器制御盤の制御装置を介して電動機を駆動し、電動機の駆動軸を所定の回転回数だけ回転させることにより行われ、制御装置によりタップ巻線のタップが１タップだけ切り換わるように制御されている。電動機には電磁接触器を介して駆動電源が入力される。
【０００４】
ここで、負荷時タップ切換装置のタップ切換動作の異常検出は、連続動作の異常とタップ渋滞の異常との２つの異常を検出することにより行われている。
【０００５】
［１］連続動作の異常
（ａ）制御装置にタップ切換の操作信号が規定時間以上連続して入力された場合。
【０００６】
（ｂ）電動機への入力電圧が規定時間以上連続して検出された場合。
【０００７】
（ｃ）タップ切換の開始から終了までの時間が規定以上かかった場合
［２］タップ渋滞の異常
（ａ）タップ切換の操作信号が入力されているにもかかわらず、電動機への入力電圧が規定時間以上連続して検出されない場合。
【０００８】
また、電動機の負荷電流、タップ切換器の駆動軸のトルク、タップ切換器の動作時間、タップ切換器のタップ位置を検出し、これらを監視するようにしたものがある（例えば、特許文献１参照）。
【特許文献１】特開平９−２１３５４２号公報
【発明の開示】
【発明が解決しようとする課題】
【０００９】
しかし、連続動作の異常やタップ渋滞の異常の検出だけでは、その異常の原因となっている故障箇所の判別は困難であり、また、電動機の負荷電流、タップ切換器の駆動軸のトルク、動作時間、タップ位置等の状態量の監視だけでは、同様に、それらの状態量の異常は監視できるが、その異常の原因となっている故障箇所の判別は困難である。
【００１０】
ここで、状態量の監視だけしか行っていないのは、タップ切換器のタップ切換を制御する制御装置は機械的な制御リレーで構成されており、測定された入力電流などの状態量を入力して異常判定することは可能であるが、その測定値を使って論理的な判断を行うことは困難であるからである。
【００１１】
負荷時タップ切換装置による電圧調整は、適正電圧の維持という観点から重要であり、負荷時タップ切換装置のタップ切換器の動作不良が発生すると適正電圧の維持が困難となり、ひいてはお客様サービスの低下が懸念される。そこで、負荷時タップ切換装置に異常が発生した場合には早期に復旧できることが要請されており、そのためには、状態量の監視だけでなく異常箇所を早期に判別できるようにすることが望まれている。
【００１２】
本発明の目的は、負荷時タップ切換装置のどの箇所に異常が発生しているのかが自動的に判別でき早期復旧が可能な負荷時タップ切換装置の異常判定装置及び方法を提供することである。
【課題を解決するための手段】
【００１３】
請求項１の発明に係わる負荷時タップ切換装置の異常判定装置は、タップ切換器を駆動する電動機の駆動トルク、前記タップ切換器のタップ切換時間、前記電動機の入力電流、前記電動機の入力電圧、前記電動機に電磁接触器を介して電力を供給する駆動電源の電源電圧を検出する各検出器と、各検出器で検出された状態量の組み合わせによって、前記タップ切換器、前記電動機、前記電磁接触器、前記駆動電源の異常を判定するとともに、外部からの指令により前記負荷時タップ切換装置のタップ切換を制御するマイクロプロセッサーを用いた制御装置とを備えたことを特徴とする。
【００１４】
請求項２の発明に係わる負荷時タップ切換装置の異常判定装置は、請求項１の発明において、前記制御装置は、前記タップ切換器のタップ切換時間、前記電動機の入力電流及び前記電動機の駆動トルクに基づいてタップ切換器の異常を判定するタップ切換器異常判定手段と、前記タップ切換器のタップ切換時間、前記電動機の入力電流及び／または前記電動機の駆動トルクに基づいて電動機の異常を判定する電動機異常判定手段と、前記電動機の入力電圧及び前記駆動電源の電源電圧に基づいて前記電磁接触器の異常を判定する電磁接触器異常判定手段と、前記電動機の入力電圧及び前記駆動電源の電源電圧に基づいて前記駆動電源の異常を判定する電源異常判定手段とを備えたことを特徴とする。
【００１５】
請求項３の発明に係わる負荷時タップ切換装置の異常判定装置は、請求項２の発明において、前記タップ切換器異常判定手段は、前記タップ切換器のタップ切換時間が所定値より長く、前記電動機の入力電流が所定値より大きく、かつ前記電動機の駆動トルクが所定値より大きいときに前記タップ切換器の異常であると判定することを特徴とする。
【００１６】
請求項４の発明に係わる負荷時タップ切換装置の異常判定装置は、請求項２の発明において、前記電動機異常判定手段は、前記タップ切換器のタップ切換時間が所定値より長く、前記電動機の入力電流が所定値より大きく、かつ前記電動機の駆動トルクが所定値以下であるとき、または前記タップ切換器のタップ切換時間が所定値以下で、かつ前記電動機の入力電流が所定値より大きいときは、前記電動機の異常であると判定することを特徴とする。
【００１７】
請求項５の発明に係わる負荷時タップ切換装置の異常判定装置は、請求項２の発明において、前記電磁接触器異常判定手段は、前記電動機の入力電圧が所定値以下で、前記駆動電源の電源電圧が所定値以下でないときは、前記電磁接触器の異常であると判定することを特徴とする。
【００１８】
請求項６の発明に係わる負荷時タップ切換装置の異常判定装置は、請求項２の発明において、前記電源異常判定手段は、前記電動機の入力電圧が所定値以下で、前記駆動電源の電源電圧が所定値以下のときは、前記駆動電源の異常であると判定することを特徴とする。
【００１９】
請求項７の発明に係わる負荷時タップ切換装置の異常判定方法は、タップ切換器を駆動する電動機の駆動トルク、前記タップ切換器のタップ切換時間、前記電動機の入力電流、前記電動機の入力電圧、前記電動機に電磁接触器を介して電力を供給する駆動電源の電源電圧をそれぞれ検出し、これら検出された状態量の組み合わせによって、前記タップ切換器、前記電動機、前記電磁接触器、前記駆動電源の異常をそれぞれ判定することを特徴とする。
【発明の効果】
【００２０】
本発明によれば、外部からの指令により負荷時タップ切換装置のタップ切換を制御する制御装置をマイクロプロセッサーを用いた制御装置で構成し、各々の検出器から検出された状態量の組み合わせによって、負荷時タップ切換装置の異常箇所を判別できるので、早期に異常箇所を復旧できる。すなわち、電動機、タップ切換器、電磁接触器あるいは駆動電源のどの箇所に故障が発生しているのかが自動的に判別できるので、負荷時タップ切換装置の早期復旧が可能となり適正電圧の維持によりサービス向上を図ることができる。
【発明を実施するための最良の形態】
【００２１】
以下、本発明の実施の形態について説明する。図１は本発明の実施の形態に係わる負荷時タップ切換装置の異常判定装置の構成図である。変圧器本体１１に収納されたタップ切換器１２は、切換開閉器１３とタップ選択器１４とを有し、変圧器の１次側のタップ巻線をタップ切換器１２の切換開閉器１３及びタップ選択器１４により切り換え、変圧器の２次側電圧を調整する。例えば配電系統では、変圧器の２次側配電線には需要家の負荷が接続されており、需要家の電力需要が増加すると２次側電流が増加し２次側配電線の末端に行くほど電圧が降下するので、その電圧降下を補償するために、２次側電流が大きくなると２次側電圧を昇圧するようにタップ切換を行う。一方、需要家の電力需要が減少すると２次側電流が減少し２次側配電線の電圧は上昇するので、その電圧上昇を補償するために、２次側電流が小さくなると２次側電圧を降圧するようにタップ切換を行う。
【００２２】
タップ切換器１２は電動操作機構部により電動操作される。電動操作機構はタップ切換器１２を駆動操作するための電動機１５と、電磁接触器１６を介して電動機１５に電源を供給する駆動電源１７とを有し、電磁接触器１６を開閉して電動機１５に電源を供給し、電動機１５を所定の回転回数分だけ駆動する。通常、所定の回転回数分はタップ巻線の１タップを切り換えるに必要な電動機１５の駆動量である。また、駆動電源１７は、通常、所内電源から取り出される三相交流電源である。
【００２３】
電動操作機構部には各種状態量を検出する複数個の検出器が設けられている。すなわち、タップ切換器１２を駆動する電動機１５の駆動トルクを検出するトルク検出器１８と、電動機１５の駆動軸の回転回数が所定の回転回数になるまでの時間をタップ切換器１２のタップ切換時間として検出するタップ切換時間検出器１９と、電動機１５の入力電流を検出する電流検出器２０と、電動機１５の入力電圧を検出する電圧検出器２１と、電動機１５に電磁接触器１６を介して電力を供給する駆動電源１７の電源電圧を検出する電源電圧検出器２２とが設けられている。
【００２４】
これらの各検出器で検出された状態量はプロセス入出力装置２３を介して制御装置２４に入力される。制御装置２４はマイクロプロセッサーを用いて構成される。各検出器で検出された駆動トルク、タップ切換時間、電動機１５の入力電流、電動機１５の入力電圧、駆動電源１７の電源電圧等の状態量は、プロセス入出力装置２３を介して制御装置２４の状態量判定手段２５に入力される。一方、変圧器２次電圧の監視装置からのタップ切換の操作信号はプロセス入出力装置２３を介して制御装置２４のタップ切換制御手段２６に入力される。また、タップ切換制御手段２６には、タップ切換時間検出器１９から、電動機１５の駆動軸の回転回数が所定の回転回数になったことも入力される。
【００２５】
タップ切換制御手段２６は、変圧器２次電圧の監視装置からのタップ切換の操作信号に基づいて電磁接触器１６の開閉制御を行うものであり、変圧器２次電圧の監視装置からのタップ切換の操作信号を入力すると、プロセス入出力装置２３を介して電磁接触器１６に閉指令を出力する。これにより、電磁接触器１６を閉じて駆動電源１７から電動機１５に電源を供給し、電動機１５の駆動によりタップ切換器１２を操作する。そして、電動機１５の駆動軸の回転回数が所定の回転回数になったときは、タップ巻線の１タップの切換操作が完了した判断し電磁接触器１６を開いて電動機１５を停止する。
【００２６】
一方、状態量判定手段２５は各検出器で検出された各々の状態量が予め定めた所定値を逸脱しているかどうかを判定し、その判定結果をタップ切換器異常判定手段２７、電動機異常判定手段２８、電磁接触器異常判定手段２９、電源異常判定手段３０に出力する。
【００２７】
タップ切換器異常判定手段２７は、タップ切換器１２のタップ切換時間、電動機１５の入力電流及び電動機１５の駆動トルクを入力してタップ切換器１２の異常を判定するものであり、その判定結果は表示装置３１に表示出力される。電動機異常判定手段２８は、タップ切換器１２のタップ切換時間、電動機１５の入力電流、電動機１５の駆動トルクを入力して電動機１５の異常を判定するものであり、その判定結果は表示装置３１に表示出力される。
【００２８】
また、電磁接触器異常判定手段２９は電動機１５の入力電圧及び駆動電源１７の電源電圧を入力し電磁接触器１６の異常を判定するものであり、電源異常判定手段３０は電動機１５の入力電圧及び駆動電源１７の電源電圧を入力して駆動電源１７の異常を判定する。そして、これらの判定結果は表示装置３１に表示出力される。
【００２９】
図２は、制御装置２４におけるタップ切換器異常判定手段２７、電動機異常判定手段２８、電磁接触器異常判定手段２９、電源異常判定手段３０のロジック回路図である。制御装置２４の状態量判定手段２５は、タップ切換時間判定手段３２と、入力電流判定手段３３と、駆動トルク判定手段３４と、入力電圧判定手段３５と、電源電圧判定手段３６とを有する。
【００３０】
タップ切換時間判定手段３２はタップ切換時間ＴＩｍが所定値ＴＩｃより大きいか否かを判定しタップ切換時間ＴＩｍが所定値ＴＩｃより大きいときは論理値「１」を出力するものである。タップ切換時間判定手段３２の所定値ＴＩｃは、タップ巻線のタップが１タップだけ切り換わるに必要な時間に余裕値を加算した値が設定される。従って、タップ切換時間ＴＩｍが所定値ＴＩｃより大きいときは、タップ切換器１２の機械的な固渋あるいは電動機１５の動作不良の可能性がある。
【００３１】
入力電流判定手段３３は電動機１５の入力電流Ｉｍが所定値Ｉｃより大きいか否かを判定し電動機１５の入力電流Ｉｍが所定値Ｉｃより大きいときは論理値「１」を出力するものである。入力電流判定手段３３の所定値Ｉｃは電動機１５によりタップ切換器１２を駆動する際の標準的な電流値に余裕値を加算した値が設定される。入力電流Ｉｍが所定値Ｉｃより大きいときは、タップ切換器１２の機械的な固渋あるいは電動機１５の内部巻線の不具合の可能性がある。
【００３２】
駆動トルク判定手段３４は、電動機１５の駆動トルクＴｍが所定値Ｔｃより大きいか否かを判定し電動機１５の駆動トルクＴｍが所定値Ｔｃより大きいときは論理値「１」を出力するものである。駆動トルク判定手段３４の所定値Ｔｃはタップ切換器１２を駆動する際の標準的なトルク値に余裕値を加算した値が設定される。電動機１５の駆動トルクＴｍが所定値Ｔｃより大きいときは、タップ切換器１２の機械的な固渋あるいはトルク検出器１８の不具合等の可能性がある。
【００３３】
入力電圧判定手段３５は電動機の入力電圧Ｖｍが所定値Ｖｃより小さいか否かを判定し電動機１５の入力電圧Ｖｍが所定値Ｖｃより小さいときは論理値「１」を出力するものである。入力電圧判定手段３５の所定値Ｖｃは入力電圧Ｖｍの標準的な電圧値から余裕値を減算した値が設定される。電動機１５の入力電圧Ｖｍが所定値Ｖｃより小さいときは電磁接触器１６あるいは駆動電源１７の不具合等の可能性がある。
【００３４】
電源電圧判定手段３６は、駆動電源１７の電源電圧ＶＳｍが所定値ＶＳｃより小さいか否かを判定し駆動電源１７の電源電圧ＶＳｍが所定値ＶＳｃより小さいときは論理値「１」を出力するものである。電源電圧判定手段３６の所定値ＶＳｃは電源電圧ＶＳｍの標準的な電圧値から余裕値を減算した値が設定される。駆動電源１７の電源電圧ＶＳｍが所定値ＶＳｃより小さいときは駆動電源１７の不具合あるいは電源電圧検出器２２の不具合等の可能性がある。
【００３５】
タップ切換器異常判定手段２７は、タップ切換器１２のタップ切換時間ＴＩｍが所定値ＴＩｃより長く、電動機１５の入力電流Ｉｃが所定値Ｉｍより大きく、かつ電動機１５の駆動トルクＴｍが所定値より大きいときにタップ切換器１２の異常であると判定する。すなわち、タップ切換器異常判定手段２７のアンド回路２７ａはタップ切換時間判定手段３２の出力及び入力電流判定手段３３の出力が論理値「１」を出力したときに論理値「１」を出力し、アンド回路２７ｂはアンド回路２７ａの出力が論理値「１」でかつ駆動トルク判定手段３４の出力が論理値「１」のときに論理値「１」を出力する。
【００３６】
タップ切換時間ＴＩｍが所定値ＴＩｃより長く、入力電流Ｉｍが所定値Ｉｃより大きいとき、すなわちアンド回路２７ａの出力が論理値「１」となったときは、タップ切換器１２の機械的な固渋あるいは電動機１５の不具合の可能性が高いが、いずれの異常であるかは明確に判定できない。そこでアンド回路２７ｂにより、電動機１５の駆動トルクＴｍが所定値Ｔｃより大きいか否かを判定し、電動機１５の駆動トルクＴｍが所定値Ｔｃより大きいときは、タップ切換器１２の異常であると判定する。
【００３７】
次に、電動機異常判定手段２８は、タップ切換器１２のタップ切換時間ＴＩｍが所定値ＴＩｃより長く、電動機１５の入力電流Ｉｍが所定値Ｉｃより大きく、かつ電動機１５の駆動トルクＴｍが所定値Ｔｃより小さいときに電動機１５の異常であると判定するとともに、タップ切換器１２のタップ切換時間ＴＩｍが所定値ＴＩｃ以下で、かつ電動機１５の入力電流Ｉｍが所定値Ｉｃより大きいときは、電動機１５の異常であると判定する。
【００３８】
すなわち、電動機異常判定手段２８のアンド回路２８ａはタップ切換器異常判定手段２７のアンド回路２７ａの出力が論理値「１」を出力し、かつ駆動トルク判定手段３４の出力が論理値「１」でないときに論理値「１」を出力する。
【００３９】
タップ切換時間ＴＩｍが所定値ＴＩｃより長く、入力電流Ｉｍが所定値Ｉｃより大きいとき、すなわちアンド回路２７ａの出力が論理値「１」となったときは、タップ切換器１２の機械的な固渋あるいは電動機１５の不具合の可能性が高いが、いずれの異常であるかは明確に判定できない。そこでアンド回路２８ａにより、電動機１５の駆動トルクＴｍが所定値Ｔｃ以下であるか否かを判定し、電動機１５の駆動トルクＴｍが所定値Ｔｃ以下であるときは、電動機１５の異常であると判定する。
【００４０】
一方、電動機異常判定手段２８のアンド回路２８ｂは、タップ切換時間判定手段３２の出力が論理値「１」でなく、かつ入力電流判定手段３３の出力が論理値「１」であるときに論理値「１」を出力する。これは、タップ切換時間ＴＩｍが所定値ＴＩｃより長くないときに、電動機１５の入力電流Ｉｍが所定値Ｉｃより大きいときは電動機１５の異常であると判定できるからである。
【００４１】
電磁接触器異常判定手段２９は、電動機１５の入力電圧Ｖｍが所定値Ｖｃ以下で、駆動電源１７の電源電圧ＶＳｍが所定値ＶＳｃ以下でないときは、電磁接触器１６の異常であると判定する。すなわち、電磁接触器異常判定手段２９のアンド回路２９ａは入力電圧判定手段３５の出力が論理値「１」であり、かつ電源電圧判定手段３６の出力が論理値「１」でないときに論理値「１」を出力する。これは、電動機１５の入力電圧Ｖｍがなく電源電圧ＶＳｍがある場合には、電磁接触器１６の異常であると判断できるからである。
【００４２】
電源異常判定手段３０は、電動機１５の入力電圧Ｖｍが所定値Ｖｃ以下で、駆動電源１７の電源電圧ＶＳｍが所定値ＶＳｃ以下のときは、駆動電源１７の異常であると判定する。すなわち、電源異常判定手段３０のアンド回路３０ａは入力電圧判定手段３５の出力が論理値「１」であり、かつ電源電圧判定手段３０の出力が論理値「１」であるときに論理値「１」を出力する。これは、電動機１５の入力電圧Ｖｍがなく電源電圧ＶＳｍがない場合には、駆動電源１７の異常であると判断できるからである。
【００４３】
このように制御装置２４を機械的な制御リレーで構成されたものに代えて、マイクロプロセッサーを用いて構成し、負荷時タップ切換装置の異常箇所を判定する機能を設け、その判定結果を表示装置３１に表示する。従って、負荷時タップ切換装置の異常箇所の早期発見が可能となる。
【００４４】
以上の説明では、負荷時タップ切換装置の異常箇所を判定する機能を設けたが、異常診断機能を設け異常及びその異常になる以前の異常兆候を表示装置３１に表示することも可能である。図３は制御装置２４に異常診断機能を持たせて負荷時タップ切換変圧器の異常及び異常兆候を表示する場合の処理内容を示すフローチャートである。図３では、一例としてタップ切換時間の異常及び異常兆候を表示する場合を示している。
【００４５】
まず、タップ動作が開始されると（Ｓ１）、タップ切換開始から終了までのタップ切換時間Ｔを測定する（Ｓ２）。そして、タップ切換時間Ｔとその閾値Ｔmaxとを比較し（Ｓ３）、タップ切換時間Ｔがその閾値Ｔmaxを越えたか否かを判定する（Ｓ４）。タップ切換時間Ｔがその閾値Ｔmaxを越えたときはタップ切換時間Ｔが異常であるので、表示装置に異常を示すメッセージを表示する（Ｓ５）。
【００４６】
一方、ステップＳ４の判定でタップ切換時間Ｔがその閾値Ｔmax以下であるときタップ切換時間Ｔは異常ではないが、異常兆候を示すか否かを診断するためにそのタップ切換時間Ｔを記憶する（Ｓ６）。タップ切換時間Ｔは制御装置２４に設けた記憶装置に記憶される。そして、タップ切換時間Ｔのトレンドの診断要求があるか否かを判定し（Ｓ７）、トレンドの診断要求がない場合は処理を終了する。つまり、次のタップ動作があるまで処理を待機し、次のタップ動作があるとステップＳ１からの処理を開始する。タップ切換時間Ｔのドレンドの診断要求は運転操作員から制御装置２４に入力される。
【００４７】
ステップＳ７の判定で、タップ切換時間Ｔのトレンドの診断要求がある場合には、記憶装置に記憶されているすべてのタップ切換時間Ｔを呼び出し（Ｓ８）、表示装置３１にタップ切換時間Ｔのトレンドグラフを表示する（Ｓ９）。これにより、運転操作員は表示装置３１に表示されたタップ切換時間Ｔのトレンドグラフを監視することにより、タップ切換時間Ｔの異常兆候を判断できる。
【００４８】
図３に示した異常診断機能では、表示装置３１にタップ切換時間Ｔのトレンドグラフを表示し、運転操作員によりタップ切換時間Ｔの異常兆候を判断するようにしたが、異常診断機能に異常兆候判断機能を持たせるようにしてもよい。図４は、異常診断機能に異常兆候判断機能を持たせた場合の処理内容を示すフローチャートである。図３と同一ステップには同一符号を付し重複する説明は省略する。
【００４９】
図４において、ステップＳ１〜ステップＳ８までは図３のステップと同一である。ステップＳ７の判定で、タップ切換時間Ｔのトレンドの診断要求がある場合には、記憶装置に記憶されているすべてのタップ切換時間Ｔを呼び出し（Ｓ８）、タップ切換時間Ｔnと一つ前のタップ切換時間Ｔn-1との時間差ΔＴ（ΔＴ＝Ｔn−Ｔn-1）を計算する（Ｓ９）。そして、すべてのデータについて時間差ΔＴを計算し、時間差ΔＴが正か負かを判定し（Ｓ１０）、連続して時間差ΔＴが正（ΔＴ＞０）となる回数Ｎを算出し、さらに規定の閾値Ｎmaxと比較し（Ｓ１１）、連続して時間差ΔＴが正となる回数Ｎが規定の閾値Ｎmaxを越えたか否かを判定する（Ｓ１２）。連続して時間差ΔＴが正となる回数Ｎが規定の閾値Ｎmaxを越えたときは表示装置３１に異常兆候を示すメッセージを表示する（Ｓ１３）。これにより、自動で異常兆候を判定することができる。
【００５０】
以上の説明では、タップ切換時間の異常兆候について説明したが、その他の状態量、例えば、電動機１５の入力電流、電動機１５の入力電圧、駆動電源１７の電源電圧についても同様に異常兆候を診断し判定することができる。
【００５１】
本発明の実施の形態によれば、制御装置２４をマイクロプロセッサーを用いて構成し、各々の検出器で検出された状態量の組み合わせによって、負荷時タップ切換装置の異常箇所を判別できるので、早期に異常箇所を復旧できる。また、制御装置２４に異常兆候診断機能を持たせて状態量の異常兆候を表示したり、異常兆候のメッセージを表示するので、異常に至る以前の診断も可能となる。
【図面の簡単な説明】
【００５２】
【図１】本発明の実施の形態に係わる負荷時タップ切換装置の異常判定装置の構成図。
【図２】本発明の実施の形態における制御装置のタップ切換異常判定手段、電動機異常判定手段、電磁接触器異常判定手段、電源異常判定手段のロジック回路図。
【図３】本発明の実施の形態における制御装置に異常診断機能を持たせて負荷時タップ切換装置の異常及び異常兆候を表示する場合の処理内容を示すフローチャート。
【図４】図３に示した異常診断機能に異常兆候判断機能を持たせた場合の処理内容を示すフローチャート。
【符号の説明】
【００５３】
１１…変圧器本体、１２…タップ切換器、１３…切換開閉器、１４…タップ選択器、１５…電動機、１６…電磁接触器、１７…駆動電源、１８…トルク検出器、１９…タップ切換時間検出器、２０…電流検出器、２１…電圧検出器、２２…電源電圧検出器、２３…プロセス入出力装置、２４…制御装置、２５…状態量判定手段、２６…タップ切換制御手段、２７…タップ切換器異常判定手段、２８…電動機異常判定手段、２９…電磁接触器異常判定手段、３０…電源異常判定手段、３１…表示装置、３２…タップ切換時間判定手段、３３…入力電流判定手段、３４…駆動トルク判定手段、３５…入力電圧判定手段、３６…電源電圧判定手段
【図１】
2006128237.tif 000003
【図２】
2006128237.tif 000004
【図３】
2006128237.tif 000005
【図４】
2006128237.tif 000006